(57)【要約】【課題】  迅速に容易且つ確実に設置することのできるキャビネットの床設置構造や、多様化した床構造に簡易に対応できるケーブルラック構造や、光ファイバケーブルを安全且つ確実にそして効率良く収容できる構造を実現する。【解決手段】  絶縁板１１をテンプレートとして用いて床にアンカーボルト用穴を明けてキャビネットを床設置する。また、キャビネットの上下面に着脱自在であるケーブルラック３１を、レイズドフロア用の台足として機能させる。更に、ケーブルダクト６１の上面又は下面側に、案内部６５をケーブル出入用の開口部分６７を間に挟むように並べて配置し、光ファイバケーブル部分が最小許容曲げ半径以上の曲がりを確保し得るようにする。【選択図】      図３
2006093719.tif 000002
【特許請求の範囲】
【請求項１】
キャビネットの上面や下面にケーブルラックが着脱自在に着設されて成るキャビネットのケーブルラック構造であって、該ケーブルラックは、キャビネット下面に着設した場合にレイズドフロア用の台足としても機能し得ることを特徴とするケーブルラック構造。
【請求項２】
前記ケーブルラックは、上に開いたＣ断面形状を有し、その内部には、略コ字形状の補強部材が内接するように配置されることを特徴とする請求項１記載のケーブルラック構造。
【請求項３】
前記ケーブルラックは、レイズドフロアの面部材を支持し得る支持部材が付設されることを特徴とする請求項１記載のケーブルラック構造。
【発明の詳細な説明】
【技術分野】
【０００１】
本発明は、キャビネットのケーブルラック構造に関する。
【背景技術】
【０００２】
高度情報化時代である現代の通信機器システムにおいては、キャビネット構造的に軽薄短小化が大幅に進み、信号の伝送スピードが超高速になり、装置間接続のために光ファイバケーブルが大量採用されつつある。同時にキャビネット（通信機器システム）の間を接続する種々のケーブルの敷設方法も、天井から吊り下げたケーブルラダーにケーブルを収容する方法や、床を上げて、いわゆるレイズドフロアを構成し、床とレイズドフロアとの間にケーブルを収容する方法等、極めて多様化している。更に、サービスの向上から製造メーカとしては、キャビネットの早期引き渡し（設置）等が急務になっている。
【発明の開示】
【発明が解決しようとする課題】
【０００３】
このような状況下において、通信機器等の電子装置を収納したキャビネットを、今以上に迅速に容易且つ確実に設置することのできるキャビネットの床設置構造や、多様化した床構造に簡易に対応できるケーブルラック構造や、光ファイバケーブルを安全且つ確実にそして効率良く収容できる構造の出現が望まれている。
【０００４】
そこで、本発明においては、そのような希求された合理的・経済的なキャビネットの各種構造を実現することをその課題とする。
【課題を解決するための手段】
【０００５】
上記課題を解決するために本発明は、キャビネットの下に絶縁板を敷いてアンカーボルトでキャビネットごと床に固定するキャビネットの床設置構造において、絶縁板は、キャビネット固定のためのアンカーボルト用の複数個の穴と、２つの切り取り自在の切り取り部、とを有すると共に、絶縁板両側に、前記２つの切り取り部が部分的に嵌合し得る欠切部を有し、切り取った一方の切り取り部は、絶縁板同士が相互固定されるように、絶縁板同士の対向する欠切部に嵌合し、切り取った他方の切り取り部は、両端の絶縁板の外側の欠切部にそれぞれ嵌合し、該嵌合する他方の切り取り部をそれぞれ所定固定手段で床上に固定することによって全体的に固定される各絶縁板は、そのアンカーボルト用穴を用いて床に穴明けを可能にするテンプレートとして機能することを構成上の特徴とする。
【０００６】
別の本発明は、キャビネットの下に敷かれてアンカーボルトでキャビネットごと床に固定される絶縁板において、各絶縁板は、キャビネット固定のためのアンカーボルト用の複数個の穴と、２つの切り取り自在の切り取り部、とを有すると共に、絶縁板両側に、前記２つの切り取り部が部分的に嵌合し得る欠切部を有し、切り取った一方の切り取り部は、絶縁板同士が相互固定されるように、絶縁板同士の対向する欠切部に嵌合し、切り取った他方の切り取り部は、両端の絶縁板の外側の欠切部にそれぞれ嵌合し、各絶縁板は、該嵌合する他方の切り取り部をそれぞれ所定固定手段で床上に固定することによって全体的に固定され、そのアンカーボルト用穴を用いて床に穴明けを可能にするテンプレートとして機能することを構成上の特徴とする。
【０００７】
更に別の本発明は、キャビネットの上面や下面にケーブルラックが着脱自在に着設されて成るキャビネットのケーブルラック構造であって、該ケーブルラックは、キャビネット下面に着設した場合にレイズドフロア用の台足としても機能し得ることを構成上の特徴とする。
好ましくはケーブルラックは、上に開いたＣ断面形状を有し、その内部には、略コ字形状の補強部材が内接するように配置される。
【０００８】
また、好ましくはケーブルラックは、レイズドフロアの面部材を支持し得る支持部材が付設される。
【発明を実施するための最良の形態】
【０００９】
以下、本発明に係るキャビネット構造の複数の実施例を図面を参照して説明する。
（１）キャビネットの床設置構造
図３に示したように、通信機器等の電子装置を収容したキャビネットＣは、地震等の（転倒）対策上、キャビネット固定用のいわゆるアンカーボルト（図示せず）で床上に固定設置され、キャビネットの底面と床面との間には、電気的絶縁のための絶縁板１１が介装される。本実施例の矩形状の絶縁板１１は、図１に示したように、アンカーボルトのための、例えば４つの丸穴１３を所定位置に有し、更に、それぞれＬ字状のスロット（切除部分）を適当に組み合わせて外周を不連続的に囲んで構成した切り取り自在の大小２つの切り取り部Ａ、Ｂを有し、更にまた、両側に矩形状の欠切部分１５を有する。大きい方の切り取り部Ａは、後述するように床面上に並べた複数の絶縁板１１を両側から全体的に仮固定ないし仮拘束するために、ネジ１７で床面に固定されるものであり、そのための２つの穴１９を有する。他方、小さい方の切り取り部Ｂは、隣り合う絶縁板１１の欠切部分１５が丁度合わさってできる長方形の穴にピタリ嵌まり込んで両絶縁板間の相対移動を阻止するものである。
【００１０】
本絶縁板１１をテンプレートとして用いてキャビネットＣを床上に固定する作業につき、図２を参照して以下簡単に説明する。従来であれば、巻き尺やスケールを用いてキャビネットの固定用穴位置を床面にマーキングするところであるが、そのようなやり方では能率が悪く、精度を確保するのもなかなか困難であるため、また、それ専用の多数のテンプレートを別途用意する必要があるために相当に割高になるし管理の面でも煩わしいため、本実施例においては、絶縁板１１をテンプレートとして巧みに使用する。すなわち、具体的には、先ず、設置されるべきキャビネットＣの台数に合致する数の絶縁板１１を用意し、それらから必要な切り取り部Ａ、Ｂをカッター工具（図示せず）等で切断・分離しておき、（図では、３枚の）絶縁板１１をキャビネットＣの実際の設置レイアウトに対応するように床上に配置する。その際、上述したように、隣り合う絶縁板１１の欠切部分１５が丁度合わさってできる長方形の穴に小さい方の切り取り部Ｂを嵌合させて絶縁板相互の相対移動を阻止すると同時に、両側の絶縁板１１の欠切部１５に大きい方の切り取り部Ａを部分的に嵌合させる。
【００１１】
次いで、絶縁板全体の両側に位置する２つの大きい方の切り取り部Ａを各２本のネジ１７で床面にそれぞれ固定する。これにより、絶縁板１１は総て床面に仮固定された状態となる。すなわち、絶縁板同士のずれがなく且つ絶縁板全体が動くようなこともない。従って、後は機械的に、各絶縁板１１の４つの丸穴１３をドリル穴明け用の案内（テンプレート）としてドリル（工具）Ｄにより床面に穴を明ける。そして、各絶縁板１１の上に対応するキャビネットＣを載せ、必要なアンカーボルトを打ち込んでキャビネットＣを絶縁板１１と共に床に固定する（図３）。
【００１２】
以上のように、テンプレートの機能を保有させた本実施例の絶縁板１１によれば、床面に対する穴位置の面倒なマーキング（けがき）作業が不要であり、それ専用の複数のテンプレートを別途用意する必要もなく、安価且つ簡易にそして確実に精度良くドリル穴明け作業を行うことができ、作業全般の能率や効率が著しく向上し得る。
（２）キャビネットのケーブルラック構造
図４に示した本実施例のケーブルラック３１は、通信機器等の電子装置を収納したキャビネットＣの上部に取り付けられる場合には、文字通りケーブルラックとして機能し、他方、キャビネットＣの下部に取り付けられる場合には、台足として機能する。
【００１３】
本ケーブルラック３１は、リップ溝形鋼のような上方に開いたＣチャネル断面を有する鋼製又はプラスチック樹脂製の所定肉厚の部材から成り、内側の角部分には、必要に応じて補強部Ｒが設けられる。ケーブルラック３１の幅及び奥行寸法は、キャビネット上下面の寸法と略同一である。ケーブルラック３１の高さは、収容されるべきケーブルの量にもよるが、基本的にはレイズドフロアの床上げの標準高さに対応される。ケーブルラック上面には、キャビネット本体下面（及びカバー）の取付け穴に対応した穴が穿設され、ケーブルラック下面には、キャビネット上面の取付け穴に対応した穴と、床面への固定のための取付け穴とが穿設されるが、これらのケーブルラック上下面の穴は、共通化することが可能である。ケーブルラック３１の両端（又は一端）には、キャビネット上下面の両側に通常形成されるケーブル通過用の開口部Ｅ（図５、６）に対応するように、ケーブル導入用の切り欠き部３３が対称的（一方のみ図示）に欠切形成されている。
【００１４】
ここで、図５を参照して、図４のケーブルラック３１をキャビネット上部に取り付ける場合について説明する。ケーブルラック３１は、アンカーボルトによって床上に固定されるキャビネットＣの上面に対し、ケーブルラック下面の穴とキャビネット上面のネジ穴とを一致させてネジ止めすることによって固定される。そして、ケーブルラック上面には、天井板３５がネジ止め固定される。これにより、図示ケーブルラック３１は、キャビネット間の接続ケーブル用のケーブルラックとして機能し得る。尚、図６に示したように、ケーブルラック内部の四隅に、一回り小さな略コ字形状の補強部材３９を取付けて、ケーブルラック自体を補強することができる。
【００１５】
次に、図７を参照して、図４のケーブルラック３１をキャビネット下部に取り付けて台足とする場合について説明する。床面には、ケーブルラック３１の下面のネジ穴に対応した穴が明けられ、アンカーボルト（図示せず）によってケーブルラック３１が固定される。この際、ケーブルラック自体のレベリング（水平度）については、薄板等を下に嵌み込むことによって調節される。このケーブルラック３１の上には、キャビネットＣが載せられてネジ止め固定される。キャビネットＣ（ケーブルラック３１）の周りの領域（通路等）には、通常の床上げ部材（台足）４１を介してパネル状の床部材４３が敷き詰められて、いわゆるレイズドフロアＲＦが構成される。キャビネット上面には、天井板３５がネジ止め固定される。以上により、図示ケーブルラック３１は、内部に各種ケーブルが通されるが、特にレイズドフロア用の台足として実質的に機能し、従来の台足４１と比べて頑丈に構成できるので、キャビネット全体の耐震性が向上し得る。尚、図８に示したように、図６の略コ字形状の補強部材３９を９０度取付け角度を変えてケーブルラック内に設けることにより、ケーブルラック自体の耐久性（耐震性）を更に向上させることができる。尚また、図９に示したように、ケーブルラック３１の一又は両側面にＬ形断面の支持部材４７を取付け、この支持部材４７でレイズドフロアＲＦの床部材４３を支持するよう構成することができる。
【００１６】
以上のように、キャビネットＣとケーブルラック３１とを別体とし、ケーブルラック３１を、必要に応じて上部のケーブルラックあるいは下部の台足として機能させ得るように構成したので、システム構成構築にフレキシブルに対応できる。すなわち、例えば、顧客の要求によりキャビネットの上部にケーブルを収容しなければならない場合でも、あるいは床上にレイズドフロアを構成し、床とレイズドフロアとの間にケーブルを収容しなければならないような場合でも、一仕様（ケーブルラックを内蔵していない）のキャビネットと本実施例のケーブルラックとの組み合わせで即座に対応できる。従って、従来の複数タイプのキャビネットの製造、専用部品の調達、ケーブル収容形式の事前確認等の煩わしさや煩雑さを見事に解消できる。また、ケーブルラックを台足として用いる場合には、その分従来の床上げ部材を不要にできると共に、キャビネットの耐震性能を向上できる。
（３）キャビネットの光ファイバケーブル収容構造
本発明に係る光ファイバケーブルの収容構造の一実施例は、図１０に示したように、プリント配線板Ｐの取り出し側であるキャビネットＣの前面に設けた、両側が上方に大きく湾曲したケーブルダクト６１を含む。該ケーブルダクト６１の前方側は、作業性を良くするために開口し、この開口には、平板状のカバー６３が着脱自在にネジ止めされる（図１１）。ケーブルダクト６１の上面側には、円形パイプを縦に半割りにしたような形状の案内部６５が開口部分６７を間に挟んで横に並べて配置され、両側の案内部６５は、横に大きめに形成されている。これらの案内部６５はいずれも、その湾曲した面部分の曲率が、光ファイバケーブルＯＰの最小許容曲げ半径（通常３０ｍｍ前後）以上の値を有するように構成される。尚、ケーブルダクト６１、案内部６５、カバー６３等は、プラスチック樹脂で形成することができ、その場合には、例えばケーブルダクト６１とカバー６３との接続は、ネジを用いずに、例えば雌雄嵌合によって行うことができる。
【００１７】
キャビネットＣ両側の上方側から降りてくる複数の光ファイバケーブルＯＰ（各種電線を伴い得る）は、ケーブルダクト６１両側の大きな案内部６５の湾曲面に倣って曲がりながらダクト内に進み、中央側の所定案内部の湾曲面に倣って開口部分６７からダクト上方に立ち上げられて対応するプリント配線板Ｐにコネクタ接続される。
【００１８】
以上のように、本実施例によれば、スペースの有効活用により全体をコンパクトに構成することができながらも、光ファイバーケーブルＯＰの最小許容曲げ半径を安全且つ確実に確保でき、従って、光ファイバーケーブルＯＰの伝送品質を向上できる。また、光ファイバーケーブルＯＰの配線が非常に簡単になり、ケーブル配線工数の低減や能率向上を図ることが可能である。更に、従来のようなバインダや結束紐（ひも）等を用いることなく、光ファイバケーブルＯＰを案内部で無理なく簡単に定位置に拘束（保持）でき、作業者の工数を大幅に軽減することが可能となる。
【００１９】
次に、光ファイバケーブルの収容構造（ケーブルダクト）の変更例について説明する。その一例としては、図１２に示したような、前後両側（図では片側のみ）が丸い曲面で構成され上に開いたＣチャネル状のケーブルダクト６１ａと、それを横断するように配置される円柱状の案内部６５ａ、とを含む構成が考えられる。これらの案内部６５ａはいずれも、その外面の曲率が、光ファイバケーブルＯＰの最小曲げ半径以上の値を有するように構成されている。また、各案内部６５ａは、ダクト本体の前面及び後面に設けた長穴を介してビス止めされて固定されているので、その取付け位置の変更が可能である。従って、例えばケーブルダクト内の底面とこの案内部６５ａとによって光ファイバケーブルＯＰを適当に押圧してその動きを拘束するように構成することができる。
【００２０】
ケーブルダクトの別の変更例としては、図１３に示したような、図１２のそれと同じようなチャネル状のケーブルダクト６１ｂと、円形パイプを縦に半割りしたような部材を平行に離隔してＬ部材で繋げたような案内部６５ｂが、ケーブルダクト６１ｂの前面に設けた長穴を介してビス止めされて片持ち式に固定されて成る。この案内部６５ｂの円形パイプ状部分の曲率に関しては、前記変更例と同様に構成される。また、この変更例においては、案内部６５ｂの取付け位置の一度の変更により光ファイバケーブルＯＰを全体的に一括して押さえ込むことができるので合理的である。
【産業上の利用可能性】
【００２１】
以上説明したように本発明によれば、通信機器等の電子装置を収納したキャビネットを、今以上に迅速に容易且つ確実に設置することのできるキャビネットの床設置構造や、多様化した床構造に簡易に対応できるケーブルラック構造や、光ファイバケーブルを安全且つ確実にそして効率良く収容できる構造を実現することができる。
【図面の簡単な説明】
【００２２】
【図１】本発明の一実施例の絶縁板の斜視図である。
【図２】図１の絶縁板を敷設する工程を示す斜視図である。
【図３】実施例の絶縁板を敷いたキャビネットの斜視図である。
【図４】本発明の別の実施例のケーブルラックを示す斜視図である。
【図５】キャビネット上部にケーブルラックを取付ける構成を示す斜視図である。
【図６】図５の構成に補強部材を取付けた構成を示す斜視図である。
【図７】キャビネット下部にケーブルラックを取付ける構成を示す斜視図である。
【図８】図７の構成に補強部材を取付けた構成を示す要部斜視図である。
【図９】図７の構成に支持部材を取付けた構成を示す要部斜視図である。
【図１０】本発明の他の実施例の光ファイバケーブル収容構造を示す斜視図である。
【図１１】実施例の光ファイバケーブル収容構造の分解斜視図である。
【図１２】光ファイバケーブル収容構造の変更例の要部斜視図である。
【図１３】光ファイバケーブル収容構造の別の変更例の要部斜視図である。
【符号の説明】
【００２３】
１１    絶縁板
１５    欠切部
３１    ケーブルラック
３３    切り欠き部
３５    天井板
３９    補強部材
４１    床上げ部材
４３    床部材
４７    支持部材
６１、６１ａ、６１ｂ    ケーブルダクト
６３    カバー
６５、６５ａ、６５ｂ    案内部
６７    開口部分
Ａ、Ｂ    切り取り部
Ｃ    キャビネット
Ｄ    ドリル
ＯＰ    光ファイバケーブル
Ｐ    プリント配線板
Ｒ    補強部
ＲＦ    レイズドフロア
【図１】
2006093719.tif 000003
【図２】
2006093719.tif 000004
【図３】
2006093719.tif 000005
【図４】
2006093719.tif 000006
【図５】
2006093719.tif 000007
【図６】
2006093719.tif 000008
【図７】
2006093719.tif 000009
【図８】
2006093719.tif 000010
【図９】
2006093719.tif 000011
【図１０】
2006093719.tif 000012
【図１１】
2006093719.tif 000013
【図１２】
2006093719.tif 000014
【図１３】
2006093719.tif 000015